(57)【要約】【課題】食品やごみの密閉開放可能な収納容器の取り出し開閉動作と収納容器の蓋部材の開閉密閉動作を同期連動させることにより容器への物品収納動作を効率化する。【解決手段】収納容器１４と、スライド機構部材１５と、蓋部材１９と、蓋部材１９を支持する４節リンクよりなる開閉機構２６と、することで、収納容器１４内の密閉が効率的におこなわれ、収納容器１４内のへの換気等の空気調質制御も効率的となり、物品の保管状態が良好となり利便性が高まる。【選択図】図５
2006271629.tif 000002
【特許請求の範囲】
【請求項１】
平行移動自在とするスライド機構部材に装着され収納開口を有した収納容器と、収納開口を密閉開放する蓋部材と、前記蓋部材を開閉位置それぞれの間で、収納開口と略平行姿勢を維持して収納開口から略直交もしくは斜行方向に離合動作をさせる開閉機構を、４節リンク機構で構成し揺動リンクは蓋部材とし、固定リンクは開閉機構の基台とし、回動リンクは、蓋部材に備えた揺動リンク軸と基台に備えた固定リンク軸に各々回動自在に軸支連結して、スライド機構の動作方向に前後対で配置し、固定リンクから最遠方位置で、揺動リンクと収納開口が最近接位置となる死点を形成して揺動リンク軸が固定リンク軸周りに円弧回動するように回動リンクを配置構成し、蓋部材を開閉それぞれの位置に付勢する開閉付勢手段とを備え、スライド機構部材もしくは収納容器と、前記開閉機構もしくは蓋部材との間に介して備えた係合当接部により、スライド機構部材の平行移動動作と開閉機構もしくはこれを介した蓋部材開閉動作が係合連動動作し、開閉機構とスライド機構部材の係合連動動作は、前記の回動リンク死点の手前側で、蓋部材を開成し、前記死点近傍より後方で閉成となる蓋付き収納容器装置。
【請求項２】
蓋部材は、収納容器内外を密閉遮蔽する蓋体と、蓋体を支持し開閉機構と一体的に動作する蓋保持体とに自在に分割可能とした請求項１に記載の蓋付き収納容器装置。
【請求項３】
収納容器内の換気装置、収納容器内空気あるいは収納物品の調質・改質手段を収納容器内外に備えた請求項１または２に記載の蓋付き収納容器装置。
【請求項４】
使用時開放面を有し、前記開放面よりスライド機構もしくは収納容器を引き出し格納開閉自在とする収納キャビネットを備えた請求項１〜３のいずれか１項に記載の蓋付き収納容器装置。
【請求項５】
開放面を開閉閉塞し、開放面の略全面を覆う扉体をスライド機構もしくは収納容器に備えた請求項１〜４のいずれか１項に記載の蓋付き収納容器装置。
【発明の詳細な説明】
【技術分野】
【０００１】
本発明はキッチン等で使用する引き出し式の食品あるいはごみ収納容器を密閉閉塞可能とする蓋の開閉機構に関するものである。
【背景技術】
【０００２】
従来、この種の蓋付き収納容器装置は、代表的にごみ処理装置として、厨房装置に組み込まれ、ごみ投入時に前面側に収納容器を引き出し、この時、収納容器の蓋が引き出し動作に連動して開閉される機構を備えている（例えば、特開文献１参照）。
【０００３】
図９は、特開文献１に記載された従来の蓋付き収納容器装置を示すものである。
【０００４】
図９に示すように、ごみ処理装置１は、キッチンの収納庫カウンター２下に組み込まれ、ごみ処理機器１の収納容器３の上面前面側にヒンジ部材４により回動開閉自在とした蓋５を設け、蓋５とごみ処理機器１の筐体とを連動アーム６によりリンク連結している。
【０００５】
さらに、収納容器３は、スライド機構部材７により、カウンター２下方から前面側に引き出し格納自在に構成されている。
【０００６】
以上の構成により、収納容器３を手前に引き出す動作を行うと、連動アーム６により、蓋５の手前側は、後方位置に拘束されているので、ヒンジ部材４の軸周りに蓋５が開成動作することになる。
【特許文献１】特開平８−８４９７３号公報
【発明の開示】
【発明が解決しようとする課題】
【０００７】
しかしながら、前記従来の構成では、蓋５と連動アーム６の係合関係上、蓋５を収納容器３に対して、密閉度高く閉成することについては構造上複雑なものとなり、収納物であるごみの臭気漏れが発生する課題を有していた。
【０００８】
また、蓋５の開閉動作が、ヒンジ部材４の一軸を中心とした跳ね上げ開閉であるため、開成時に、収納容器３内の上部に滞留したごみ臭気を一気に巻き上げ、臭気を周囲に拡散させてしまう等の課題もあった。
【０００９】
さらに、連動アーム６は機構構成上、露出が不可避であり、蓋５開閉時の異物の挟み込みや開成時の外観性等、使用時の快適性に劣るものである。
【００１０】
本発明は、前記従来の課題を解決するもので、収納容器の引き出し動作に連動して蓋の開閉動作をおこなうと共に、蓋開成時の収納容器内の空気拡散を低減し、蓋と収納容器との密閉性をより一層向上させ、臭気を発生するごみや食品等の収納保管性能を向上させることを目的とする。
【００１１】
また、使用時すなわち収納容器の引き出し時に、ごみ投入作業には不要となる蓋およびこの開閉機構を隠蔽することにより、使い勝手あるいは外観性を向上させた収納容器装置を提供することを目的とする。
【課題を解決するための手段】
【００１２】
前記従来の課題を解決するために、本発明の蓋付き収納容器装置は、平行移動自在とするスライド機構部材に装着され収納開口を有した物品収納容器と、収納開口を密閉開放する蓋部材と、前記蓋部材を開閉位置それぞれの間で、収納開口と略平行姿勢を維持して収納開口から略直交もしくは斜行方向に離合動作をさせる開閉機構を４節リンク機構で構成し、揺動リンクは蓋部材とし、固定リンクは開閉機構の基台とし、回動リンクは、蓋部材に備えた揺動リンク軸と基台に備えた固定リンク軸に各々回動自在に軸支連結して、スライド機構の動作方向に前後対で配置し、固定リンクから最遠方位置で、揺動リンクと収納開口が最近接位置となる死点を形成して揺動リンク軸が固定リンク軸周りに円弧回動するように回動リンクを配置構成し、蓋部材を開閉それぞれの位置に付勢する開閉付勢手段とを備え、スライド機構部材もしくは収納容器と、前記開閉機構もしくは蓋部材との間に介して備えた係合当接部により、スライド機構部材の平行移動動作と開閉機構もしくはこれを介した蓋部材開閉動作が係合連動動作し、開閉機構とスライド機構部材の係合連動動作は、前記の回動リンク死点の手前側で蓋部材を開成し、前記死点近傍より後方で閉成となるように構成したものである。
【００１３】
これによって、収納容器の引き出し格納動作と蓋部材の開閉動作が単一動作でおこなえ、蓋部材は、収納容器の収納開口と略平行に僅かに移動して開閉動作をすることにより、収納容器内の空気拡散が抑制でき、また、蓋部材の開閉範囲が小さく、蓋部材は収納容器装置を納める収納キャビネット内に隠蔽することが可能となる。
【発明の効果】
【００１４】
本発明の蓋付き収納容器装置は、収納容器の引き出し開閉動作のみで、収納容器内外の密閉開閉が同時に行なえるとともに、収納容器の密閉性も高いものが得られ、また、蓋およびその開閉機構が隠蔽されておりインテリア性にも優れた利便性の高い物品保管手段が提供できる。
【発明を実施するための最良の形態】
【００１５】
第１の発明は、平行移動自在とするスライド機構部材に装着され収納開口を有した物品収納容器と、収納開口を密閉開放する蓋部材と、前記蓋部材を開閉位置それぞれの間で、収納開口と略平行姿勢を維持して収納開口から略直交もしくは斜行方向に離合動作をさせる開閉機構を４節リンク機構で構成し、揺動リンクは蓋部材とし、固定リンクは開閉機構の基台とし、回動リンクは、蓋部材に備えた揺動リンク軸と基台に備えた固定リンク軸に各々回動自在に軸支連結して、スライド機構の動作方向に前後対で配置し、固定リンクから最遠方位置で、揺動リンクと収納開口が最近接位置となる死点を形成して揺動リンク軸が固定リンク軸周りに円弧回動するように回動リンクを配置構成し、蓋部材を開閉それぞれの位置に付勢する開閉付勢手段とを備え、スライド機構部材もしくは収納容器と、前記開閉機構もしくは蓋部材との間に介して備えた係合当接部により、スライド機構部材の平行移動動作と開閉機構もしくはこれを介した蓋部材開閉動作が係合連動動作し、開閉機構とスライド機構部材の係合連動動作は、前記の回動リンク死点の手前側で、蓋部材を開成し、前記死点近傍より後方で閉成となる蓋付き収納容器装置を構成することにより、収納容器の引き出し格納動作と蓋部材の開閉動作が単一動作でおこなえ、蓋部材は、収納容器の収納開口と略平行に僅かに移動して開閉動作をすることにより、収納容器内の空気拡散が抑制でき、また、蓋部材の開閉範囲が小さく、蓋部材は収納容器装置を納める収納キャビネット内に隠蔽することが可能となる。
【００１６】
また、回動リンク死点位置で、蓋部材は収納開口と最接近し、蓋部材と収納容器の当接圧縮力が最大となり、この位置を超えてスライド機構部材の平行移動動作が終端位置となることで、蓋部材を開成方向に付勢する開放手段の作用力に抗じて、蓋部材の閉成動作を抑止することが、単一のリンク機構で実現できる。
【００１７】
第２の発明は、特に第１の発明の蓋部材を、収納容器内外を密閉遮蔽する蓋体と、蓋体を支持し開閉機構と一体的に動作する蓋保持体とに自在に分割可能として構成することにより、収納容器と接触する蓋体の取り外し装着が自在となり、清掃等の取扱性が向上する。
【００１８】
第３の発明は、特に第１もしくは２の発明の収納容器装置について、収納容器内の換気装置、収納容器内空気あるいは収納物品の調質・改質手段を収納容器内外に備えることにより、蓋部材の密閉開閉動作が簡単におこなえ、かつ収納容器の密閉性が高い収納容器装置に対して、収納物品の保管維持に有効な手段を効果的に附加できる。
【００１９】
第４の発明は、特に第１〜３の発明について、使用時開放面を有し、前記開放面よりスライド機構を引き出し格納開閉自在とする収納キャビネットを備えることにより、収納容器装置を隠蔽し、スライド機構部材による引き出し時のみ収納容器が露出し、かつ蓋部材が開閉され、食品やごみ等の保管に利便性の高い収納庫が提供できる。
【００２０】
第５の発明は、特に第１〜４の発明について、開放面を開閉閉塞し、開放面の略全面を覆う扉体をスライド機構もしくは収納容器に備えることにより、インテリア性に優れた収納庫としての収納容器装置が提供できる。
【００２１】
以下、本発明の実施の形態について、図面を参照しながら説明する。なお、この実施の形態によって本発明が限定されるものではない。
【００２２】
（実施の形態）
図１は本発明の実施の形態における蓋付き収納容器装置の外観斜視図、図２は同実施の形態の収納容器の構成を示す分解斜視図、図３は同収納容器の外観図、図４は同収納容器装置の要部縦断面図、図５は同収納容器装置の蓋およびこの開閉機構の要部側面図、図６は同実施の形態の収納容器と蓋との関係を示す分解斜視図、図７は同実施の形態の換気装置と収納容器の関係を示す分解斜視図、図８は同実施の形態の換気装置の詳細を示す外観上面図である。
【００２３】
図１において、本発明の蓋付き収納容器装置１１が、キッチン１２のカウンター１２ａ下の収納キャビネット１３に組み込まれ、床面１２ｂおよび後壁面１２ｃに設置固定されている。
【００２４】
収納キャビネット１３は、前面側に配した扉体１３ａ、左右の側板１３ｂ、底板１３ｃ、後板１３ｄとによって立方空間を区画形成して構成されている。
【００２５】
収納容器１４を収納キャビネット１３の前面側に引き出し開閉自在になるスライド機構部材１５は、側板１３ｄに取り付けされた左右一対のスライドレール１５ａと、これに載置装着され前面側に扉体１３ａを固定してなる環枠状の抽斗枠部材１５ｂから構成され、前記抽斗枠部材１５ｂに、収納容器１４を落とし込み装着することにより、収納容器１４は収納キャビネット１３から引き出し格納および着脱自在となり、さらに扉体１３ａを含むスライド機構部材１５の奥方への閉成により、収納キャビネット１３内部を密閉可能としている。
【００２６】
収納容器１４は、図２および３に示すように、上部に矩形平面をなす開放縁１４ａを有する略バケツ状に成型され、開放縁１４ａを形成する収納容器１４の上部外周壁１４ｂの１辺に、収納容器１４内外を連通する外部開口１４ｃが２個一対で形成され、さらに前記の外部開口１４ｃより少許底方には、開放縁１４ａと平行に所定の幅の平坦な段部１４ｄを収納容器１４の４辺に設け、外部開口１４ｃの一対が隣り合う部分には、前記段部１４ｄを分断し、上部外周壁１４ｂが収納容器１４の内側に向かって延出する隔壁１４ｅを形成している。
【００２７】
前記段部１４ｄの端部はさらに、収納容器１４の底方に向かい前記外周壁１４ｂと略平行なる少許高さの中間部外周壁１４ｆを経て、前記段部１４ｄと略平行に口枠部材受け部１４ｇを平坦に収納容器１４の４辺に形成し、さらに口枠部材受け部１４ｇより底方では、下部外周壁１４ｈと底部１４ｉにより収納容器１４をバケツ状に形成している。
【００２８】
一方、前記の口枠部材受け部１４ｇには、丸棒材を環状に形成した口枠部材１６を並列に２つ載置している。
【００２９】
また、軟質材で形成した袋１７は、図４に示すように、袋１７の底方を収納容器１４の底方に向けて、前記の口枠部材１６の環状内側に嵌め付け装着し、袋１７の口縁１７ａを口枠部材１６の外側に向けて巻き付け折り返す形態にて、袋１７の上部と口枠部材１６を、前記の口枠部材受け部１４ｇに載置装着している。
【００３０】
図２、３に示すように、収納容器１４の上部開口に対して装着取り外し自在に嵌着する蓋受け部材１８は、収納容器１４の上部外周壁１４ｂの４辺に略平行で外側を覆う形態の外壁１８ａ、収納容器１４の段部１４ｄに下端を接して略垂直上方に立ちあがる外壁１８ａに略平行な４辺を有する内壁１８ｂ、外壁１８ａと内壁１８ｂを繋ぐ形態にて蓋受け部材１８の天面となる蓋当接部１８ｃによって一体に成型されて、内壁１８ｂの内側が、収納容器１４への収納開口１８ｄとしている。
【００３１】
さらに、前記４辺の内壁１８ｂの内、収納容器１４の外部開口１４ｃのない２辺の上部外周壁１４ｂに対峙した内壁１８ｂには、前記の口枠部材１６各々に応じた位置に、収納容器１４の底方に向かって備えた通気開口２１を、蓋受け部材１８の蓋当接部１８ｃおよび内壁１８ｂから延出形成してなる膨出屋根部１８ｅにより構成している。
【００３２】
以上、収納容器１４と蓋受け部材１８の組み合わせ状態では、収納容器１４の上部外周壁１４ｂと開放縁１４ａから少許奥方の段部１４ｄ、蓋受け部材１８の内壁１８ｂと天面となる蓋当接部１８ｃ、収納容器１４の開放縁１４ａの対向２辺の外部開口１４ｃと隔壁１４ｅにより形成される略矩形断面かつ略コの字平面の空間が、収納容器１４の開放縁１４ａの３辺の上端部に沿った２系統の通気路２２として形成され、それぞれ給気路２３と排気路２４として成り立っている。
【００３３】
また、２対の口枠部材１６および袋１７によって、収納容器１４は２区画の収納部に分割された形態となっており、前記口枠部材１６および袋１７の組み合わせは、収納容器１４の区画部材２５として、通気路２２に対して直交方向に２区画を配列形成しており、さらに前記蓋受け部材１８の膨出屋根部１８ｅにより、２区画つまり２つの袋１７各々の内方に向かって開放された通気開口２１を形成している。
【００３４】
また、図５から７に示すように、蓋受け部材１８の収納開口１８ｄを閉塞開放する蓋部材１９は、下面に弾性体になるシールパッキン２０を嵌着して備え、シールパッキン２０が、蓋当接部１８ｃに押し付け圧縮されることで、収納容器１４と蓋受け部材１８と蓋部材１９は、外部から密閉閉塞される収納空間を形成する。
【００３５】
さらに蓋部材１９は、シールパッキン２０を嵌着する蓋体１９ａと、この上面に位置する板枠状に形成された蓋保持体１９ｂにより構成され、蓋部材１９の天面奥方端寄りに設けた左右２箇所の係合孔１９ｃと、蓋保持体１９ｂ後方にあって前記係合孔１９ｃに挿入嵌着される爪部１９ｄとの係合嵌着とあわせて、蓋部材１９の前方寄り中央に設けた取付ねじ１９ｅによる蓋体１９ａと蓋保持体１９ｂとの螺合締結により、蓋体１９ａは、蓋保持体１９ｂから取り外し装着自在に懸垂固定されて構成している。
【００３６】
また、蓋部材１９の最後方端には、下方の収納容器１４がスライド格納動作途中より奥位置で、収納容器１４の蓋当接部１８ｃとしての蓋受け部材１８の外壁１８ａの後面に当接する係合当接部１９ｆを、少許下方に延出して蓋体１９ａに一体に形成している。
【００３７】
さらに蓋部材１９の開閉機構２６は、収納容器１４の収納開口１８ｄと略平行に配した前記の蓋部材１９を揺動リンク２６ａとして形成し、蓋保持体１９ｂの左右の側部には、折り曲げ立ち上がり部を形成し、蓋保持体１９ｂの前方と後方の２ヵ所に、左右対向の軸孔２６ｂを貫通し水平左右方向に配した回転リンク軸２６ｃを配し、この回転リンク軸２６ｃに軸枢支され、収納容器装置１１の前後方向に回動する前後一対の回転リンク２６ｄを、回転リンク２６ｄ上部の左右一対の固定リンク２６eに対して固定リンク軸２６ｆを介して回動自在に軸枢支している。
【００３８】
さらに、左右一対の固定リンク２６eは、その上部の基台２６ｇに固定装着され、基台２６ｇは、収納キャビネット１３の左右両側板１３ｂに固定されている。
【００３９】
上記の揺動リンク２６ａすなわち蓋部材１９と、前後一対の回転リンク２６ｄ、左右一対の固定リンク２６ｅにより、４節平行リンク機構２７を構成し、固定リンク２６ｅおよび固定リンク軸２６ｆは固定端２７ａとして、蓋部材１９と回転リンク軸２６ｃは回動自由端２７ｂとして成り立っている。
【００４０】
回転リンク２６ｄの回転リンク軸２６ｃならびに揺動リンク２６ａとしての蓋部材１９は、鉛直下方位置を下死点として、この下死点より少許角度奥方寄りの図示（ア）位置から、下死点より所定角度手前寄りの図示（イ）位置まで回動動作すべく、回転リンク２６ｄの回動動作範囲が設定され、蓋部材１９は、収納容器１４の収納開口１８ｄと略平行の水平姿勢を保って、手前上昇位置から下死点を超えて後方の少許上方位置の間を移動動作可能である。
【００４１】
加えて、固定リンク２６ｅと回転リンク軸２６ｃとの間には、開閉付勢手段２８として引っ張りコイルばねになる復帰ばね２８ａを係合取り付けしている。
【００４２】
復帰ばね２８ａの固定リンク２６ｅ側の拘束位置は、図５に示すように、回転リンク２６ｄの下死点位置での回転リンク軸２６ｃ位置と固定リンク軸２６ｆを結ぶ位置よりもＤ寸法後方位置に設け、復帰ばね２８ａの最大引っ張り力は、回転リンク２６ｄの下死点位置より少許手前で生じるべく構成している。
【００４３】
次に、換気装置２９は、図８に示すように、この前面側に収納キャビネット１３の前面扉体１３ａと略同一面かつ幅寸法を略同一になる操作パネル２９ａが装着され、この操作パネル２９ａには、換気装置２９の内外と空気連通して前面に開放した取入口２９ｂと排出口２９ｃ、運転スイッチ３０、赤外線による反射受発光を用いた人体検知手段３１を備えている。
【００４４】
換気装置２９の内部後方の底面には、下方の収納容器１４の外部開口１４ｃに空気連通する捕集風路２９ｄと、供給風路２９ｅを各々配置すると共に、前記供給風路２９ｅ、取入口２９ｂを含む取入風路２９ｆ、排出口２９ｃを含む排出風路２９ｇ、前記の捕集風路２９ｄをこの順に直列に空間連通して配置し、さらに風路開閉切替手段３２として、４連からなる直動式弁体３２ａ、およびこれを駆動する電磁ソレノイド３２ｂ、電磁ソレノイド３２ｂの直動子３２ｃの端部に軸枢支され、前記の直動式弁体３２ａの連結軸３２ｄと接合する切替リンク３２ｅと、直動子３２ｃの軸芯方向に引っ張り作用をなす戻しばね３２ｆにより構成している。
【００４５】
直動式弁体３２ａは、連結軸３２ｄ軸心方向の往復動作により、前記４区画の境界壁のいずれかに当接することで、４区画の風路の内、選択された２区画同士を空間連通する形態となり、捕集風路２９ｄあるいは供給風路２９ｅの開閉と、排出風路２９ｇに対する取入風路２９ｆもしくは捕集風路２９ｄの風路切替をおこなっている。
【００４６】
次に、収納容器１４あるいはこれを装着する抽斗枠部材１５ｂの出し入れ格納時に、この開閉を検知する開閉検知手段３３は、図４に示すように、抽斗枠部材１５ｂの後方にあって、収納キャビネット１３の後板１３ｄに備えた磁気スイッチ３３ａと、抽斗枠部材１５ｂの後端面に嵌着具備した磁石３３ｂによって構成され、磁気スイッチ３３ａと磁石３３ｂの相対距離によって、磁気スイッチの電気的接点を閉あるいは開となるように構成配置されている。
【００４７】
また、排出風路２９ｇの風路途中には、排出口２９ｃの上流側に遠心式ファンとモータになる送風機２９ｈを配置し、前記風路切替手段３２との間、言いかえると捕集風路２９ｄと送風機２９ｈとの間に、収納容器１４内空気の調質・改質手段３４として空気濾過による化学・物理的吸着方式の脱臭材３４ａを配置している。
【００４８】
また、運転スイッチ３０、人体検知手段３１、風路開閉切替手段３２、開閉検知手段３３と、換気装置２９の送風機２９ｈは、制御手段２９ｉに電気的に接続されている。
【００４９】
次に、図７に示すように、換気装置２９の後方に設けられた捕集風路２９ｄおよび供給風路２９ｅはそれぞれ、収納キャビネット１３の後板１３ｄに沿って下方の収納容器１４の後方に到る風路を形成し、蓋受け部材１８の略高さ位置で、収納容器１４の２つの外部開口１４ｃに相対して、それぞれ捕集口２９ｊと供給口２９ｋを開放している。
【００５０】
収納容器１４の外部開口１４ｃには、図７に示すように、通気路接続手段３５として、ゴム等の弾性体で成型された中空の蛇腹ダクト３５ａを係合嵌着し、前記の捕集口２９ｊと供給口２９ｋには、漏斗形状のダクト受け部３５ｂを捕集風路２９ｄと供給風路２９ｅの外郭に一体に形成し、収納容器１４が格納位置で、蛇腹形状が縮み、ダクト受け部３５ｂの漏斗形状に圧接されることで、収納容器１４の２つの通気路２２と換気装置２９の捕集風路２９ｄと供給風路２９ｅの各々を空気接続し、外部と空気遮断している。
【００５１】
以上のように構成された収納容器１４およびこのスライド機構部材１５、蓋部材１９とこの開閉機構２６、収納容器内の換気装置２９について、以下その動作、作用を説明する。
【００５２】
使用者は、収納容器１４内に２つの袋１７を口枠部材１６それぞれに口縁１７ａを外側へ巻き付け装着し、蓋受け部材１８を収納容器１４に被せ、これらを一体にして、収納キャビネット１３の前面側に引き出された抽斗枠部材１５ｂに載置装着し、例えば、台所資源ごみとして、包装ラップ類と食品トレー等をそれぞれ分別して、前記２つの袋に投入保管し、スライド機構部材１５により、収納容器１４を収納キャビネット１３の奥方へ押し入れる。
【００５３】
スライドレール１５ａの押し込みストローク後半では、蓋受け部材１８の後方端の蓋当接部１８ｃが、蓋部材１９の係合当接部１９ｃに当接する位置より奥方で、収納容器１４の押し込み動作に応じて、蓋部材１９およびこれを懸垂支持する蓋支持部材２６の蓋支持板２６ａが奥方へ押し込まれると、平行リンク機構２７により、蓋部材１９および蓋支持板２６ａは、略水平姿勢を維持しつつ、蓋部材１９に嵌着されたシールパッキン２０を圧縮しながら、蓋受け部材１８との相対距離を縮めて下降し、蓋部材１９は、回転リンク２６ｄの下死点にてシールパッキン２０を最圧縮した状態となり、前記下死点を超えて、さらに回転リンク２６ｄは、スライド機構部材の動作と共に奥側に回動し、蓋部材１９が下死点位置より少許上昇した図示（ア）位置で、スライドレール１５ａのストローク終了点となり、収納容器１４および抽斗枠部材１５ｂは、格納位置に定位する。
【００５４】
上記の格納位置では、収納容器１４内の通気路２２と換気装置２９内の捕集風路２９ｄおよび供給風路２９ｅは、通気路接続手段３５により空気連通されていると共に、外部と空気離隔された状態を形成している。
【００５５】
また上記の格納位置では、復帰ばね２８ａは、平行リンク機構２７の自由端２７ｂを後方に押し入れる作用をもって、回転リンク２６ｄを下死点よりも後方寄りに付勢しており、蓋部材１９は、シールパッキン２０の圧接力を介して、蓋受け部材１８すなわち収納容器１４を奥方に押し入れる作用を維持し続けるので、スライド機構部材１５は、格納位置での定位を持続する。
【００５６】
従って、他のスライド機構部材１５あるいは収納容器１４に対するロック機構等なしで、収納容器１４の格納位置の定位すなわち閉塞閉成維持が可能であり、収納容器１４の密閉と格納持続が、単一の機構により実現でき、信頼性、操作取扱性に良好なものとなる。
【００５７】
一方、収納容器１４の開成時は、収納容器１４の前面側への移動に連れて、蓋受け部材１８と蓋部材１９との間の、シールパッキン２０の圧縮力の作用により、蓋部材１９を前面側に移動させる作用を生じせしめ、さらに、回転リンク２６ｄが下死点を通過して以降は、前記の圧縮力の作用に加えて、復帰ばね２８ａが、平行リンク機構２７の自由端２７ｂを手前側に引き戻す作用をなし、蓋部材１９は、さらに前面側に移動上昇する。
【００５８】
さらに収納容器１４を手前に引き出す動作を継続すると、蓋部材１９は、図示（イ）の上昇位置で定位し、収納容器１４の閉塞密閉が解かれ、収納容器１４は開成位置まで引き出される。
【００５９】
このように、収納容器１４の前後方向の移動動作が、蓋部材１９と収納容器１４のスライドによる閉塞開放動作と機械的に連動しており、取扱性に優れた収納容器装置を提供できる。
【００６０】
また、収納容器１４を装着したスライド機構部材１５が格納閉成状態では、開閉検知手段３３の磁気スイッチ３３ａと磁石３３ｂは、所定の少許空隙を有して対向位置に近接するので、開閉検知手段３３は、収納容器１４ならびにスライド機構部材１５を閉成として認識し、制御手段２９ｉに信号を伝達する。
【００６１】
収納容器１４が閉成状態で、運転スイッチ３０にて換気装置２９を運転させると、制御手段２９ｉにより風路開閉切替手段３２のソレノイド３２ｂに通電され、直動子３２ｃを電磁吸引し、図示の矢印（ウ）方向に移動することで、切替リンク３２ｅの動作を介して連結軸３２ｄは、軸方向の一端位置に移動し、直動式弁体３２ａは、捕集風路２９ｄと排出風路２９ｇ、取入風路２９ｆと供給風路２９ｅをそれぞれ空気連通する位置に定位し、送風機２９ｈが運転する通常換気モードとなる。
【００６２】
取入口２９ｂから吸引された外気は、図の矢印（Ｆ）に示すように、取入風路２９ｆ、供給風路２９ｅ、収納容器１４の給気路２３、袋１７内、排気路２４、捕集風路２９ｄ、排出風路２９ｇ、脱臭材３４a、送風機２９ｈ、排出口２９ｃの順に通過し、室内に放出される。
【００６３】
この時、袋１７内のごみ臭気は、脱臭材３４aにより濾過され、臭気強度を減じて、室内放散されるので、室内使用のごみ用収納容器１４としては、非常に快適性の高いものが提供できる。
【００６４】
上記の通常換気モード運転が一定時間経過した後は、制御手段２９ｉによりソレノイド３２ｂへの給電を断ち、直動子３２ｃは戻しばね３２ｆにより、ソレノイド３２ｂから引き出され、切替リンク３２ｅを介して、連結軸３２ｄおよび直動式弁体３２ａは矢印（ウ）と反対方向に移動し、（エ）位置で定位する。
【００６５】
つまり、風路開閉切替手段３２は、捕集風路２９ｄと供給風路２９ｅを連通し、かつ取入風路２９ｆと排出風路２９ｇを連通するように、つまり捕集口２９ｊおよび供給口２９ｋを外気から閉塞遮断し、脱臭材３４aを取入口２９ｂを通じて外気に開放する状態になる。
【００６６】
この状態で送風機２９ｈの運転を継続し、取入口２９ｂから導入された新鮮空気が、取入風路２９ｆから風路開閉切替手段３２を経て、直接排出風路２９ｇに導入され、脱臭材３４aに供給されることで、脱臭材３４aの活性化を行う、活性化モード運転をおこなう。
【００６７】
前記活性化モードは、さらに一定時間継続した後、送風機２９ｈのみが停止する。
【００６８】
以上、風路開閉切替手段３２の動作は、送風機２９ｈの停止時は、脱臭材３４aに対して取入口２９ｂを選択して外気に開放し、捕集口２９ｊと供給口２９ｋは連通され言いかえると収納容器１４を閉塞した状態となる。
【００６９】
逆に、送風機２９ｈの運転中は、脱臭材３４aに対して風路開閉切替手段３２は捕集口２９ｊを選択し収納物の臭気を脱臭する通常換気モード、あるいは脱臭材３４aに対して風路開閉切替手段３２が取入口２９ｂを選択し脱臭材３４aの外気による活性化モードのいずれかになる。
【００７０】
送風機２９ｈが一定時間停止した後は、上記の通常換気モードに戻ることで、換気装置２９は一定間隔で間欠運転を継続する。
【００７１】
ここで、上記の通常換気モード、添加モード、活性化モードあるいは停止モードのいずれかの運転中に、換気装置２９の前方に人が近づくと、人体検知手段３１より発せられる赤外線が人体に反射したことを検知した信号により、制御手段２９ｉは風路開閉切替手段３２を、通常換気モードと同じ図示（ウ）位置に直動式弁体３２ａを平行移動定位させ、さらに送風機２９ｈを通常換気モードよりも高能力で一定時間連続運転する人体検知モードとなる。
【００７２】
これにより、人体検知がおこなわれること、つまり使用者が収納容器１４を引き出し、食品・ごみ等の取り出し作業に入ることを予測し、可能な限り早い段階で、収納容器１４内の臭気空気を通常よりも高速で脱臭して室内に放出することができ、また前記に引き続いて生じる収納容器１４の開成中に上方近傍に滞留する臭気空気の吸引量も高くなるので、収納物の出し入れ作業中は、収納容器１４からの臭気拡散が低減され快適性が向上する。
【００７３】
上記の人体検知モードは一定時間経過の後、制御手段２９ｉにより、再び通常換気モードに自動的に復帰する。
【００７４】
また、人体検知手段３１が、一定時間内に人体を検知しない状態が継続する場合には、送風機２９ｈを運転停止させる間欠間隔を長く設定するように制御手段２９ｉを構成することも可能であり、例えば夜間や不在時などは、ごみの出し入れ作業が行われないので、電気代あるいは運転音を逓減する効果を附加することができ、より好適である。
【００７５】
次に、収納容器１４およびスライド機構部材１５が開成状態になった場合は、開閉検知手段３３の磁気スイッチ３３ａと磁石３３ｂの相対距離が大きくなり、開閉検知手段３３は収納容器１４を開成として認識し、制御手段２９ｉに信号を伝達する。
【００７６】
この時、制御手段２９ｉは風路開閉切替手段３２を、通常換気モードと同じ図示（ウ）位置に直動式弁体３２ａを平行移動定位させ、さらに送風機２９ｈを通常換気モードよりも高能力で一定時間連続運転し、さらに収納容器１４の開成が継続する場合は、送風機２９ｈを停止させ、風路開閉切替手段３２は、図示（エ）位置に定位し、換気装置２９の運転を停止させる収納部開放モードとなる。
【００７７】
同時に、換気装置２９の運転終了時点の前後で、ブザー等の鳴動によって、収納容器１４の開放持続を使用者に報知することも可能である。
【００７８】
これにより、使用者が収納容器１４を引き出し、食品・ごみ等の取り出し作業を行なっている間は、収納容器１４周辺に滞留する臭気空気を通常よりも高速で吸引し、脱臭して室内に放出することができ、収納物の出し入れ作業中は、収納容器１４からの臭気拡散が低減され快適性が向上し、また、収納容器１４の開放報知により、収納容器１４の閉め忘れすなわち臭気の漏れを回避する等の換気収納庫の利便性をより一層向上させることができる。
【００７９】
また、送風機２９ｈは一定時間後に自動的に停止するので、収納容器１４が開放されていることに対して、送風機２９ｈの運転を無駄に継続することなく、電気代の節約につながる。
【００８０】
さらに、２つの収納区画に対して各々通気路２２の通気開口２１を設けており、換気装置２９から、それぞれの区画の一方側上方より空気が供給され、底方の収納物に触れ、他方側の上方に上昇し排出され、換気装置２９に戻る換気がおこなわれるので、収納容器１４内の換気効率が高く、その分、換気装置２９の運転時間も少ない設定が可能となり、経済的あるいは静音性能の蓋付き収納容器装置１１が提供できる。
【００８１】
収納容器１４と換気装置２９は、通気路接続手段３５により、空気接続と開放が自在な構成としており、収納キャビネット１３からの引き出し式収納容器１４とすることで、収納家具等における収納容器装置としては、収納出し入れ作業性に優れ利便性の高いものとなる。
【００８２】
本実施の形態においては、収納容器内の空気の脱臭換気機能を提供するものとしたが、脱臭換気等のない、単なる密閉可能な収納容器装置として構成しても、一般の物品保管用途としては、広範囲な用途が提供できる。
【００８３】
また、本実施の形態では、収納容器内へは、空気の循環のみを附加するものであるが、収納容器内への加湿、加温、冷却、あるいは収納容器内での物品洗浄機能等に本収納容器装置の構成を提供することも可能である。
【００８４】
以上、本発明の収納容器装置の蓋部材の開閉機構は、機構の簡素な平行リンク機構を用い、この機構と収納容器のスライド格納開放機構を組み合わせることにより、収納容器の収納開口と略平行姿勢を保ち、収納開口の開放密閉時に収納容器内空気を極度に撹乱することなく収納容器のスライド動作と連動して開放密閉がおこなえ、物品収納取扱の利便性向上に大きく効奏している。
【００８５】
また、蓋部材の開閉機構は、収納キャビネットより露出することなく収納装置としての外観性にも優れたものが提供でき、また、蓋部材が、蓋体と開閉機構に着脱容易に分離するので、この点においても利便性が高いものになっている。
【産業上の利用可能性】
【００８６】
以上のように、本発明にかかる蓋付き収納容器装置は、物品の収納作業に連動して収納容器の蓋部材の密閉開放動作がおこなえ、かつ収納容器の密閉性を高く維持することが可能であるため、キッチンの物品収納関係に留まらず、食品調理醸造や調理用具の洗浄保管、衣類・医化学品材料の保管装置、動植物の飼育栽培等の用途にも適用できる。
【図面の簡単な説明】
【００８７】
【図１】本発明の実施の形態における蓋付き収納容器装置の外観斜視図
【図２】同実施の形態における収納容器の構成を示す分解斜視図
【図３】同実施の形態における収納容器の外観図
【図４】同実施の形態における収納容器装置の要部縦断面図
【図５】同実施の形態における収納容器装置の蓋およびこの開閉機構の要部側面図
【図６】同実施の形態における収納容器と蓋との関係を示す分解斜視図
【図７】同実施の形態における換気装置と収納容器の関係を示す分解斜視図
【図８】同実施の形態における換気装置の詳細を示す外観上面図
【図９】従来のごみ収納処理装置の外観斜視図
【符号の説明】
【００８８】
１１  蓋付き収納容器装置
１３  収納キャビネット
１３ａ  扉体
１４  収納容器
１５  スライド機構部材
１８ｄ  収納開口
１９  蓋部材
１９ａ  蓋体
１９ｂ  蓋保持体
１９ｆ  係合当接部
２６  開閉機構
２６ａ  揺動リンク
２６ｄ  回転リンク
２６ｅ  固定リンク
２６ｇ  基台
２８  開閉付勢手段
２９  換気装置
３４  調質・改質手段
【図１】
2006271629.tif 000003
【図２】
2006271629.tif 000004
【図３】
2006271629.tif 000005
【図４】
2006271629.tif 000006
【図５】
2006271629.tif 000007
【図６】
2006271629.tif 000008
【図７】
2006271629.tif 000009
【図８】
2006271629.tif 000010
【図９】
2006271629.tif 000011